(57)【要約】【課題】シート供給装置における用紙搬送時の用紙の斜行および待機用紙の斜行拡大の課題について、給紙ローラとリタードローラの当接部より給紙ローラの上流側に給紙ローラに付勢する押圧シートを備えることにより、搬送される用紙の斜行および待機用紙の斜行拡大の防止することができるシート供給装置を提供する。【解決手段】シート供給装置３１は、用紙を搬送する給紙ローラ２２と、用紙を重送しないように給紙ローラ２２に直接接触した用紙以外の用紙ＰＢに対して制止させ分離するリタードローラ２３と、リタードローラ２３より複数枚の用紙ＰＡの搬送方向の上流側で、待機用紙を給紙ローラ２２の方向へ付勢する押圧シート７２と、を備える。【選択図】図６
2020196577.tif 000002
【特許請求の範囲】
【請求項１】
用紙を搬送する給紙ローラと、
用紙を重送しないように前記給紙ローラに直接接触した用紙以外の待機用紙に対して制止させ分離するリタードローラと、
前記リタードローラより用紙の搬送方向の上流側で、待機用紙を給紙ローラの方向へ付勢する押圧シートと、を備える、
シート供給装置。
【請求項２】
請求項１に記載のシート供給装置であって、
前記押圧シートと前記用紙との摩擦力は、前記用紙間の摩擦力よりも高い摩擦力を有する、
シート供給装置。
【請求項３】
請求項１または２に記載のシート供給装置であって、
前記用紙の挿入性を確保するピックアップアーム、を更に備える、
シート供給装置。
【請求項４】
請求項１〜３のうちいずれか一項に記載のシート供給装置であって、
給紙時に前記給紙ローラと前記用紙との接触を制御する用紙ガイド、を更に備える、
シート供給装置。
【請求項５】
請求項１〜４のうちいずれか一項に記載のシート供給装置であって、
前記給紙ローラと前記リタードローラの当接位置よりも手前に設けられ、搬送される用紙の上に積載された待機用紙に接触することにより、前記搬送される用紙と、前記待機用紙とを分離し、用紙の重送を防止する分離シート、を更に備える、
シート供給装置。
【請求項６】
請求項３に記載のシート供給装置であって、
前記ピックアップアームに付属し、搬送される用紙を押圧するサポートローラ、を更に備える、
シート供給装置。
【請求項７】
請求項１〜６のうちいずれか一項に記載のシート供給装置と、
前記シート供給装置によって送られた前記用紙の画像を読み取る画像読取部と、を備える、
画像読取装置。
【発明の詳細な説明】
【技術分野】
【０００１】
本開示は、用紙を搬送するシート供給装置および画像読取装置に関する。
【背景技術】
【０００２】
画像読取装置には、例えば用紙（シート）を搬送するための給紙装置と、用紙を読み取るための読取装置とが設けられる。給紙装置は、複数の用紙をセットする待機状態から用紙を読取装置に搬送する給紙状態へ移行することで、ピックローラを用紙に接触させて給紙する。ところが、給紙装置では、給紙中に搬送される用紙が斜行し始めると、搬送される用紙が斜行する方向への摩擦力により、搬送される用紙の上に積載された待機状態の用紙（待機用紙）の斜行が拡大されてしまうことがある。このような不具合を解消する先行技術として、画像読取部の前に、正逆回転可能なレジストロールと、このレジストロールの上流側に設けられたループ形成部と、を備え、レジストロールにシートの先端が当接する前にレジストロールの逆転を開始し、ループ形成部にシートにループが形成される間、レジストロールの逆転を継続させ用紙の斜行を補正し、その後レジストロールを正転させ、用紙を搬送するシート補正装置（例えば特許文献１）が知られている。
【先行技術文献】
【特許文献】
【０００３】
【特許文献１】特開２００５−１５４１００号公報
【発明の概要】
【発明が解決しようとする課題】
【０００４】
しかし、上記した特許文献１の図６に記載のシート補正装置は、レジストロールの逆転により、ループ形成部内で用紙が撓むため、レジストロールが正転した際に、用紙が再斜行することも考えられる。
【０００５】
また、用紙がループ形成部に待機している間、用紙の先端部にレジストロールが逆転する摩擦力を受けるため、用紙の先端が変形する（例えば縒れる）場合があり、給紙性能が劣化することがある。
【０００６】
本開示は、上述した従来の事情に鑑みてなされたもので、簡素な構造で、搬送される用紙の斜行を防止し、さらに、搬送される用紙が斜行した場合でも、待機用紙が斜行し、斜行が拡大することを防止し、用紙の給紙性能の劣化を抑制するシート供給装置および画像読取装置を提供することを目的とする。
【課題を解決するための手段】
【０００７】
本開示は、用紙を搬送する給紙ローラと、用紙を重送しないように前記給紙ローラに直接接触した用紙以外の待機用紙に対して制止させ分離するリタードローラと、前記リタードローラより用紙の搬送方向の上流側で、待機用紙を給紙ローラの方向へ付勢する押圧シートと、を備えた、シート供給装置を提供する。
【０００８】
また、本開示は、シート供給装置と、前記シート供給装置によって送られた前記シートの画像を読み取る画像読取部と、を備える、画像読取装置を提供する。
【発明の効果】
【０００９】
本開示に係るシート供給装置によれば、給紙ローラにより用紙を搬送し、リタードローラにより、給紙ローラにより搬送された用紙について、給紙ローラに直接接触した用紙以外の待機用紙に対して制止させ分離することで重送を防止し、押圧シートにより、待機用紙をリタードローラより上流で給紙ローラ方向へ付勢することで、搬送された用紙の斜行方向への摩擦力により待機用紙が斜行する力に対し、待機用紙がその場に留まる力を与え、待機用紙の斜行を防止することができ、その結果、斜行が防止された待機用紙が給紙ローラにより搬送される段階では、用紙を斜行させることなく確実に搬送することができ、ひいては、搬送される用紙の上に積載された待機用紙の斜行拡大を防止することができる。
【図面の簡単な説明】
【００１０】
【図１】本実施形態の画像読取装置の構成を示す斜視図
【図２】図１に示す画像読取装置の製品断面図
【図３】図２の画像読取装置内のシート供給装置部分の拡大図
【図４Ａ】図３のＡ−Ａ方向からのシート供給装置の平面図
【図４Ｂ】図３のＢ−Ｂ方向からのシート供給装置の平面図
【図４Ｃ】図３のＣ−Ｃ方向からのシート供給装置の平面図
【図５Ａ】図４Ａ〜図４Ｃのそれぞれのシート供給装置の給紙前状態を表す動作説明図
【図５Ｂ】図４Ａ〜図４Ｃのそれぞれのシート供給装置の給紙開始直前状態を表す動作説明図
【図５Ｃ】図４Ａ〜図４Ｃのそれぞれのシート供給装置の給紙中を表す動作説明図
【図６】図３のＢ−Ｂ方向からのシート供給装置部分の拡大図
【図７Ａ】搬送される用紙の斜行防止の説明図
【図７Ｂ】待機用紙の斜行による斜行拡大の防止の説明図
【図７Ｃ】斜行防止において必要な摩擦力の説明図
【発明を実施するための形態】
【００１１】
以下、適宜図面を参照しながら、本開示に係るシート供給装置および画像読取装置を具体的に開示した実施の形態（以下、「本実施の形態」という）を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、添付図面および以下の説明は、当業者が本開示を十分に理解するために提供されるのであって、これらにより特許請求の範囲に記載の主題を限定することは意図されていない。以下の本実施形態では、シート供給装置を含む画像読取装置を例示して説明する。
【００１２】
図１は、本実施形態の画像読取装置１１の構成を示す斜視図である。図２は、図１に示す画像読取装置１１の製品断面図である。図３は、図２の画像読取装置１１内のシート供給装置部分の拡大図である。図４Ａは、図３のＡ―Ａ方向からの平面図である。図４Ｂは、図３のＢ−Ｂ方向からの平面図である。図４Ｃは、図３のＣ−Ｃ方向からの平面図である。図５Ａは、図４Ａ〜図４Ｃのそれぞれのシート供給装置の給紙前状態を表す説明図である。図５Ｂは、図４Ａ〜図４Ｃのそれぞれのシート供給装置の給紙開始直前状態を表す説明図である。図５Ｃは、図４Ａ〜図４Ｃのそれぞれのシート供給装置の給紙中を表す説明図である。
【００１３】
図１、図２に示す画像読取装置１１は、給紙トレイ１２と、給紙ガイド１３と、給紙ローラ２２と、リタードローラ２３と、画像読取部２４と、排出部２５と、を含む構成である。
【００１４】
給紙トレイ１２は、給紙ローラ２２へ給紙する用紙を保持する。
【００１５】
給紙ガイド１３は、給紙トレイ１２に付随し、用紙の幅方向をガイドで固定し、給紙される用紙Ｐが斜行することを防止する。
【００１６】
給紙ローラ２２は、用紙と接し、回転することにより用紙を後述する画像読取部２４へ搬送する。
【００１７】
リタードローラ２３は、給紙ローラ２２に直接接触した用紙以外の待機用紙に対して制止させ、給紙ローラ２２により搬送された用紙を給紙ローラ２２に直接接触した用紙とそれ以外の用紙とに分離し、後述する画像読取部２４への重送を防止する。
【００１８】
画像読取部２４は、給紙ローラ２２によって搬送された用紙の画像を読取る。
【００１９】
排出部２５は、画像読取部２４で画像を読取られた用紙を排出させる。
【００２０】
図３に示すシート供給装置３１は、用紙ガイド３２と、用紙ガイドカム３３と、を含む構成である。
【００２１】
用紙ガイド３２は、装置フレーム（不図示）に揺動自在に支持される。用紙ガイド３２は、上下に揺動することにより、用紙を給紙ローラ２２に接触させる。
【００２２】
用紙ガイドカム３３は、装置フレーム（不図示）に揺動自在に支持される。用紙ガイドカム３３は、軸３４の回転により揺動し、用紙ガイド３２を上下に揺動させる。つまり、用紙ガイドカム３３と用紙ガイド３２とは連動する。
【００２３】
図４Ａ〜図４Ｃのそれぞれにシート供給装置３１の詳細を示す。図４Ａ〜図４Ｃのそれぞれに示すシート供給装置３１は、ピックアップアーム４１と、サポートローラ４２と、を含む構成である。
【００２４】
ピックアップアーム４１は、装置フレーム（不図示）に揺動自在に支持される。ピックアップアーム４１は用紙ガイド３２により上下に揺動し、ピックアップアーム４１が用紙ガイド３２に持ち上げられることにより、ピックアップアーム４１と給紙ローラ２２との間への用紙Ｐの挿入性を確保する。また、ピックアップアーム４１は用紙ガイド３２と用紙ガイドカム３３と連動する。
【００２５】
サポートローラ４２は、ピックアップアーム４１に揺動自在に支持される。サポートローラ４２は、給紙される用紙Ｐを押圧することで、用紙Ｐの斜行あるいは浮きを防止し、給紙時の挿入性の確保を補助する。また、サポートローラ４２は、ピックアップアーム４１と連動する。つまり、ピックアップアーム４１は用紙ガイド３２と、用紙ガイドカム３３と連動する。
【００２６】
また、本実施形態のシート供給装置３１の動作について、図５Ａ〜図５Ｃのそれぞれを参照して説明する。
【００２７】
図５Ａは、図４Ａ〜図４Ｃのそれぞれのシート供給装置の給紙前状態を表す動作説明図である。図５Ｂは、図４Ａ〜図４Ｃのそれぞれのシート供給装置の給紙開始直前状態を表す動作説明図である。図５Ｃは、図４Ａ〜図４Ｃのそれぞれのシート供給装置の給紙中を表す動作説明図である。
【００２８】
本実施形態のシート供給装置３１では、図５Ａにおいて、用紙Ｐが給紙トレイ１２（不図示）に給紙ガイド（不図示）により一定の幅でセットされた状態で、用紙Ｐは、先端部が給紙ローラ２２から離れた位置となるように図５Ａに示す状態の用紙ガイド３２によってガイドされる。また、この時同時に用紙ガイド３２が揺動し、用紙ガイド３２がピックアップアーム４１を持ち上げる。ピックアップアーム４１が持ち上げられることにより、ピックアップアーム４１に付随するサポートローラ４２を給紙ローラ２２から離間させ、用紙Ｐの挿入性を確保する。
【００２９】
図５Ｂにおいて、画像読取部２４による用紙読取指示があると、給紙ローラ２２が用紙Ｐの送り方向（給紙方向）に回転する。給紙ローラ２２の回転によって、用紙ガイドカム３３も回転する。用紙ガイドカム３３の回転により用紙ガイド３２が下がりサポートローラ４２が給紙ローラ２２に付勢することにより給紙が開始する。
【００３０】
図５Ｃにおいて、給紙ローラ２２が更に回転し給紙が始まると、用紙ガイドカム３３が、給紙ローラ２２に用紙Ｐの先端部を接触させるように、用紙ガイド３２を揺動させる。用紙Ｐは、用紙ガイド３２が揺動を完了するまでの間に、先端部が給紙ローラ２２に接する。用紙ガイド３２の揺動（下降）が最下点まで下がり完了すると、用紙Ｐの先端部が給紙ローラ２２に接触する。
【００３１】
給紙ローラ２２に接した用紙は給紙ローラ２２とリタードローラ２３との当接位置に向かって搬送される。リタードローラ２３は、複数枚の用紙ＰＡが同時に挿入された（重送された）場合に、給紙ローラ２２に直接接触した用紙以外の用紙ＰＢに対して制止させる。これによって、給紙ローラ２２と直接接触した用紙ＰＣのみが、搬送方向に回転している給紙ローラ２２との摩擦力によって、搬送方向に搬送される。
【００３２】
図６に図３のＢ−Ｂ方向からのシート供給装置部分の拡大図を示す。図６に示すシート供給装置３１は、用紙分離シートと、押圧シートと、を含む構成である。
【００３３】
用紙分離シート７１は、給紙ローラ２２とリタードローラ２３との当接位置より前に設けられ、リタードローラ２３の手前で複数枚の用紙ＰＡと接触し、給紙ローラ２２に直接接触した用紙以外の用紙ＰＢに対して、用紙間の摩擦力より高い摩擦力を有することにより、複数枚の用紙ＰＡがリタードローラ２３に搬送される前に、給紙ローラ２２と直接接触した用紙ＰＣと給紙ローラ２２に直接接触した用紙以外の用紙ＰＢに分離する。よって、用紙分離シート７１を設けることにより、リタードローラ２３での用紙の分離をより確実に行うことができる。
【００３４】
押圧シート７２は、リタードローラ２３と用紙分離シート７１との間に設けられ、給紙ローラ２２の上流側に給紙ローラ２２に向かって用紙を押圧することで、用紙の斜行抑制効果が得られる。
【００３５】
前述の押圧シート７２による用紙の斜行抑制効果について、図７Ａ〜図７Ｃのそれぞれを参照して説明する。
【００３６】
図７Ａ，図７Ｂ，図７Ｃは、搬送される用紙と待機用紙と、サポートローラと、押圧シートと、リタードローラとの位置関係および用紙の斜行状態の説明図である。図７Ａは、搬送される用紙の斜行防止の説明図である。図７Ｂは、待機用紙の斜行による斜行拡大の防止の説明図である。図７Ｃは、斜行防止において必要な摩擦力の説明図である。
【００３７】
給紙位置より複数枚の用紙ＰＡが搬送される際に、給紙ローラ２２と直接接触した用紙ＰＣが方向Ｆへ斜行しようとした場合、押圧シート７２が給紙ローラ２２と直接接触した用紙ＰＣを押圧することにより、斜行しようとする力μＦに対して給紙ローラ２２と直接接触した用紙ＰＣが押圧されその場に留まろうとする力Ｆｃを与え、給紙ローラ２２と直接接触した用紙ＰＣが斜行を防止することができる。
【００３８】
次に、給紙ローラ２２と直接接触した用紙ＰＣが方向Ｆへ斜行した場合、待機用紙ＰＤは給紙ローラ２２と直接接触した用紙ＰＣが斜行する方向Ｆへの摩擦力μＦＣを受け、方向Ｆへ斜行が拡大しようとする。そこで、押圧シート７２が待機用紙ＰＤを押圧することにより、給紙ローラ２２と直接接触した用紙ＰＣが斜行する方向Ｆへの摩擦力μＦＣに対して待機用紙ＰＤがその場に留まろうとする力μＦＤを与え、待機用紙ＰＤの斜行を防止することができ、斜行が防止された待機用紙ＰＤが給紙ローラ２２により搬送される段階では、用紙を斜行させることなく確実に搬送することができ、ひいては、斜行を拡大することを防止することができる。
【００３９】
また、前述いずれの場合においても、押圧シート７２を設けることにより給紙ローラ２２と直接接触した用紙ＰＣと待機用紙ＰＤとを分離する効果も得られる。
【００４０】
前述のとおり、給紙ローラ２２と直接接触した用紙ＰＣの斜行防止および待機用紙ＰＤの斜行拡大防止には、押圧シート７２の設置が有効であるが、押圧シート７２の設置のみではなく、サポートローラ４２と併用することにより、より効果的な斜行拡大防止効果が得られる。
【００４１】
前述の押圧シート７２について斜行拡大防止効果を十分に得るためには、押圧シート７２と待機用紙ＰＤとの摩擦力μＤは、少なくとも用紙間摩擦力μＰと同等若しくはより大きい（μＤ≧μＰ）方が好ましい。
【００４２】
前述のとおり、押圧シート７２により給紙ローラ２２と直接接触した用紙ＰＣと待機用紙ＰＤとを分離する効果も得られるため、押圧シート７２は前述した用紙分離シート７１を兼ねることを許容する。
【００４３】
以下のように、実施の形態１に係るシート供給装置または画像読取装置１１は、用紙を搬送する給紙ローラと、用紙を重送しないように給紙ローラに直接接触した用紙以外の待機用紙に対して制止させ分離するリタードローラと、リタードローラより用紙の搬送方向の上流側で、待機用紙を給紙ローラの方向へ付勢する押圧シートと、を備える。これにより、給紙ローラに直接接触した用紙が斜行した場合に、この用紙と待機用紙との間にはたらく摩擦力により、待機用紙も連なって斜行しようとするが、押圧シートが待機用紙を押圧することにより、待機用紙がその場に留まろうとする力が働く。従って、シート供給装置または画像読取装置１１において、待機用紙の斜行が防止された状態で給紙ローラにより給紙されるため、待機用紙が斜行することなく搬送されるという効果が得られる。
【００４４】
更に、上記構成に加え、実施の形態１に係るシート供給装置または画像読取装置１１は、押圧シートと用紙との摩擦力は、用紙間の摩擦力よりも高い摩擦力を有する。これにより、給紙ローラに直接接触した用紙が斜行した場合に、この用紙と待機用紙との間に働く摩擦力よりも、押圧シートと待機用紙との間に高い摩擦力が働く。従って、待機用紙がその場に留まろうとするため、シート供給装置または画像読取装置１１はより確実に待機用紙の斜行を防止することができるという効果が得られる。
【００４５】
更に、上記構成に加え、実施の形態１に係るシート供給装置または画像読取装置１１は、用紙の挿入性を確保するピックアップアームを備える。これにより、シート供給装置または画像読取装置１１において用紙の挿入が制御され、ピックアップアームが用紙ガイドに持ち上げられることでピックアップアームに付随しているサポートローラを給紙ローラから離間させることができる。従って、用紙が挿入されるスペースを確保し、用紙の挿入性を向上させることができるという効果が得られる。
【００４６】
更に、上記構成に加え、実施の形態１に係るシート供給装置または画像読取装置１１は、給紙時に給紙ローラと用紙との接触を制御する用紙ガイドを備える。これにより、シート供給装置または画像読取装置１１は連動するピックアップアームを制御することができ、用紙ガイドが上に揺動することで、ピックアップアームを上に揺動させピックアップアームに付随しているサポートローラを給紙ローラから離間させることができる。従って、用紙が挿入されるスペースを確保し、用紙の挿入性を向上させることができるという効果が得られる。また、用紙ガイドが下に揺動することで挿入された用紙を給紙ローラと接触させ、給紙ローラに用紙を搬送させることができるという効果が得られる。
【００４７】
更に、上記構成に加え、実施の形態１に係るシート供給装置または画像読取装置１１は、給紙ローラとリタードローラの当接位置よりも手前に設けられ、搬送される用紙の上に積載された待機用紙に接触することにより、搬送される用紙と、待機用紙とを分離し、用紙の重送を防止する分離シートを備える。これにより、用紙がリタードローラへ搬送される前に搬送用紙と待機用紙とを分離することができ、リタードローラでの搬送用紙と待機用紙との分離をより効果的に実施でき、用紙の重送を抑制することができるという効果が得られる。
【００４８】
更に、上記構成に加え、実施の形態１に係るシート供給装置または画像読取装置１１は、ピックアップアームに付属し、搬送される用紙を押圧するサポートローラを備える。これにより、シート供給装置または画像読取装置１１は、給紙ローラにより搬送される用紙の斜行あるいは浮きを防止し、給紙時の用紙の挿入性の確保を補助するという効果が得られる。
【００４９】
更に、上記構成に加え、実施の形態１に係る画像読取装置１１は、シート供給装置によって送られた用紙の画像を読み取る画像読取部とを備える。これにより、シート供給装置または画像読取装置１１は、斜行することなく搬送された用紙について画像を読み取り、用紙の画像データを作成することができるという効果が得られる。
【００５０】
以上、図面を参照しながら各種の実施形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。
【産業上の利用可能性】
【００５１】
本開示は、簡素な構造で、搬送される用紙の斜行を防止し、さらに、搬送される用紙が斜行した場合でも、待機用紙が斜行し、斜行が拡大することを防止し、用紙の給紙性能の劣化を抑制するシート供給装置および画像読取装置として有用である。
【符号の説明】
【００５２】
１１  画像読取装置
１２  給紙トレイ
１３  給紙ガイド
２２  給紙ローラ
２３  リタードローラ
２４  画像読取部
２５  排出部
３１  シート供給装置
３２  用紙ガイド
３３  用紙ガイドカム
３４  軸
４１  ピックアップアーム
４２  サポートローラ
Ｐ    用紙
ＰＡ  複数枚の用紙
ＰＢ  給紙ローラ２２に直接接触した用紙以外の用紙
ＰＣ  給紙ローラ２２と直接接触した用紙
ＰＤ  待機用紙
７１  用紙分離シート
７２  押圧シート
【図１】
2020196577.tif 000003
【図２】
2020196577.tif 000004
【図３】
2020196577.tif 000005
【図４Ａ】
2020196577.tif 000006
【図４Ｂ】
2020196577.tif 000007
【図４Ｃ】
2020196577.tif 000008
【図５Ａ】
2020196577.tif 000009
【図５Ｂ】
2020196577.tif 000010
【図５Ｃ】
2020196577.tif 000011
【図６】
2020196577.tif 000012
【図７Ａ】
2020196577.tif 000013
【図７Ｂ】
2020196577.tif 000014
【図７Ｃ】
2020196577.tif 000015